【手続補正書】
【提出日】平成21年11月10日(2009.11.10)
【手続補正１】
【補正対象書類名】特許請求の範囲
【補正対象項目名】全文
【補正方法】変更
【補正の内容】
【特許請求の範囲】
【請求項１】
ペンのように小型小径の金属製丸パイプ（１）には鈎軸導入部、開口部、鍔が備わり、該パイプ内にはバイトロッド（２）がバネとともに挿入設定され、ネジ止めで一体に構成された器具にあって、前記導入部の後方孔を擂鉢状にして、前記ロッドは該導入孔より太径で先端部が擂鉢に合った円錐形状にすることで、導入された鈎軸が前記開口部に抜け出た処を前記鍔及びバネを利用した指操作によって該ロッド先端部を押し込み、擂鉢孔との接合面に咬込ませるように挟む操作により、鈎軸はその中間部を線状に掴まれ、常にロッドに対し斜め角度で確り固定されるのでペンチのように魚の口中の鈎を抜き取る事が出来る釣鈎外し器具。
【請求項２】
前記鈎軸導入部の前部周縁部（１ｃ）の形態を、糸通し溝（１ａ）及びその対面方向（ｙ−ｙ）を山形に、これと交差する方向（ｘ−ｘ）を凹ませた曲線縁にして上記糸通し溝の両側先端部を突起状（１ｂ）にする事により、ハリスに凹部を当てながら器具の円滑な誘導が出来、且つ導入口に入った鈎軸は、更に器具を押し込む過程で鈎のアゴ部が山形の斜面を滑って其の侭または回転して、どちらかの凹部に引っ掛かると同時に鈎軸は開口部の左右（ｘ−ｘ）方向に抜け出てロッド軸に対して常に斜め角度に設定され、次にバイトロッドを押した時に擦り動き鈎の向きが回転しても突起部に当たり鈎がスリット外れしない機能を持つ請求項１の釣鈎外し器具。
【手続補正２】
【補正対象書類名】明細書
【補正対象項目名】全文
【補正方法】変更
【補正の内容】
【発明の詳細な説明】
【発明の名称】バイトロッド式鈎外し器具
【技術分野】
【０００１】本発明は、魚釣りの際に魚に呑み込まれた鈎を取り外す器具に関するものである。
【背景技術】
【０００２】魚の口中にある返しの食い込んだ釣鈎を、パイプに入った中軸で挟み、パイプを押す操作によって外す針外し器は、先行技術として公開されている。【０００３】
【特許文献１】公開実用新案広報  昭和５４−１５５８９０
【発明の開示】
【発明が解決しようとする課題】
【０００４】先行技術として公開されている針外し器具（公開実用新案広報，昭和５４−１５５８９０）は、導入口と同じ太さ（Φ１）のパイプの中に、より細い中軸（Φ２）を差込み、導入口から中軸と平行に入れられた針軸のチモト部を、先の尖った中軸の先端部によって、パイプ内側の同口径の壁面へ押し付けるか、軸を差し込んで挟む構造であるが、以下の課題を有し実用性が低い。【０００５】導入口よりやや細い径の中軸で針のチモト側から平行に押し挟む構造なのでギャッ（Φ１−Φ２）より鈎が太いとそのまま押し出されてしまい、細いと挟み効果が弱く引出す時に魚の口中に鈎が抜け出る、特に渓流ゼロ釣法用の極細鈎（０．２ｍｍ以下）等はギャップがよほど小さくないと鈎軸を挟むことが出来ない。一方ギャップは狭すぎると魚の粘液等で固着して器具が機能しなくなる。（参考ハリス径１号０，１６２ｍｍ２号０．２３４ｍｍ）【０００６】構造上、中軸の先端部でチモトを押さえる場合、針を押さえる力Ｐ１は点で小さく、特にＰ０によって針軸が少しでも引き摺り出されるとギャップが末広がり大きくなって抑える力（Ｐ１の逆力）が小さくなるので、すぐ外れてしまう。更に釣り針がパイプ内面と平行して入るので構造的にＬ２が大きくなるためＰ１が大きくなって鈎が魚の口中に引き摺り出され、結果鈎が取り外せないかハリス切れを起こす。【０００７】又、針を押さえる場所が構造的にチモト部となるので、弱いチモトを折ったりハリス部を傷めたりするため同様な結果を招きやすい。【０００８】このように効果的な形にするには対応する鈎の太さを特化せざるを得ず、多様な鈎の形状に対応が出来ないなど汎用性が極めて低くなる。
【課題を解決するための手段】
【０００９】器具はペンのように小型の金属製パイプ（１）に導入部、開口部、鍔を設け、金属あるいは硬質プラスチック製のバイトロッド（２）を上記パイプ内にバネと共に挿入設定して、止めネジで一体型に構成したものである。【００１０】請求項１の発明は、上記器具の鈎軸導入部の後側を擂鉢状（１ｃ）とし、その先に約１８０度強開いた鈎軸抜出用の開口部（１ｄ）を設け、該導入部孔より太径で先端部が擂鉢状に合致する円錐形状のバイトロッドを差込み、止めネジ（２ｂ）で一体構成とし、バネ仕掛け（５）と鍔（４）により片手指操作で自在に押圧出来るようにした仕組みである、【００１１】導入部（３ｃ）より挿入された鈎軸は後方の開口部に抜け出るため、ロッド先端部が擂鉢状孔に指圧で押し込まれる事によって鈎軸中間部より先の部分が両者間の斜めの接合面に線状に挟まれて咬みこむように確り固定される構造であり鈎と器具が一体化しペンチのように鈎を押し外すことが出来る。【００１２】鈎軸はロッドに対して常に斜め角度で固定されるので、鈎が押し出されたり魚の口中に引き摺り出される事は無い。この場合鈎を外す力点Ｐ０は返しを外す力点Ｐ２に近づき、針を引き摺り出す分力Ｐ１はより小さくなり外し易くなる。また、開口部によって鈎軸導入時に軸元をここから逃がす事により、いつも針軸を接合面通りに斜め角度で確り挟む事が出来るとともに、１つの器具で極細鈎から大きな鈎まで広く使う事が出来る。【００１３】請求項２の発明は、導入部入口の周縁部（１ｃ）の形態を、糸通し溝（スリット）及その対面（Ｙ−Ｙ）を山形に、これと交差する方向（Ｘ−Ｘ）を凹ませた曲線縁にして、更にスリット（１ａ）の先端部に突起（１ｂ）をつけることにより、ハリスに導かれチモトから導入部に入って来た針軸は、更に少し器具を押すことで周縁部に触れ、アゴ部（６ｂ）が山の上なら滑って回転し凹部なら其の侭で、どちらかの凹み部に引っ掛かる，と同時に鈎軸はチモト部（６ａ）から開口部の左右（ｘ−ｘ）方向に抜け出てロッドに対して常に斜めに設定される、又、次にバイトロッドを押した時に擦り動き針の向きが回転しても突起部（１ｂ）に当たり鈎軸がスリット外れしない機能を持つ。
【発明の効果】
【００１４】ペンのように小さく簡単な器具で、魚の口の奥深く、軟骨などに刺さった見えない鈎でも、ペンチ以上に確り掴み、素早く簡単確実に外すことが出来る。鈎を直接掴んで押し外すのでハリスに張力が掛からず、渓流釣りなどの細い鈎やハリスでも器具から引き出されたり、折れたり、切れたりせずに外すことが出来る。【００１５】鈎軸が開口部に抜け出す形で設定される機能により同一器具で大小、多様な形の鈎に対応出来る。【００１６】同じ原理で様々なデザイン構成が可能であり、同型でも材質や長さ、径を変える事により海釣り、渓流釣りなどの各種シリーズが提供出来、多様な釣魚への対応が可能となる。
【発明を実施するための最良の形態】
【００１７】以下、本発明の最良の実施形態を図面に基づき説明する【００１８】器具はペンのように小型の金属製パイプ（１）に導入部、開口部、鍔を設け、金属あるいは硬質プラスチック製のバイトロッド（２）を上記パイプ内にバネと共に挿入設定して、止めネジで一体型に構成する。【００１９】上記導入部（３）は真鍮製丸棒等を加工成形した貫通孔（３ａ）を持つ無垢材を上記パイプ先端部内に嵌め込み、ロウ付けにより合体させ糸通し溝を切った構造部分であり、前部を漏斗状に、後部を擂鉢状の内面形状とした円形貫通孔となり、上記導入部の入口周縁部（１ｃ）は糸通し溝（１ａ）及びその対面方向（ｙ−ｙ）が山形に、交差する方向（ｘ−ｘ）が凹んだ形状の曲線縁となり、前記糸通し溝の両側先端部が突起状になった形態を特徴とする。【００２０】前記開口部（１ｄ）は導入部出口（３ｃ）に連なる楕円状の鈎軸操作部となり、前方が約１８０度強パイプの中ほどまで開削され、後方の止めネジ用スリットと一体の開口を形成する。【００２１】上記指掛け用の鍔（２ｃ）にはストラップ用の穴を開けパイプと同材で製作しパイプ後部にロウ付けする。【００２２】上記バイトロッドは金属または硬質プラスチック製の丸棒を使用し、先端部は貫通孔より太径で前記導入部の擂鉢状出口と接触勾配をぴったり合致させた円錐形とするが、全体には指圧での挿入時に先ずロッド上部が糸通し溝部を塞ぐ形で押し込まれる様に楕円状の先細り形態の棒状をなし前記パイプの内部に挿入設定時、周囲に鈎軸が入れる適度な隙間を確保し且つ、押し込むときに微細に軸棒が下方に撓う余裕が取れるような断面に加工され、前部には止めネジ（２ｂ）が後部にはバネ止めを兼ねた押し釦（２ｃ）が付く。【００２３】以上の構造を特徴とするバイトロッド式針外し器具により、下記一連の針外し操作が素早く完結出来る操作原理を以下説明する。【００２４】釣り上げた魚を、ハリスを張った状態で引き寄せ、糸通し溝（１ａ）にハリスを通し、緊張したハリスに添って器具先端部凹み部分を押し当てながら、素早く掛かり鈎のチモト部まで誘導する、この時、凹部及び突起部の効果でハリスが滑動して糸通し溝から外れることは無く又、鈎のチモト部（６ａ）は導入部の漏斗状入口の効用により該導入部の縁に引っ掛かる事無く的確に貫通孔（３ａ）に滑り込む。【００２５】更に器具先端部を押し込むと鈎軸は様々な角度と鈎先の向きをもって貫通孔（３ａ）に挿入されるが、先端周縁部（１ｃ）に対して針先が外向きの場合（図６（２））は、鈎軸は其の侭挿入され顎部は上記縁を滑って（矢印）凹部に引っ掛かり安定し、内向き（図６（３））の場合は外フトコロ部（６ｄ）が縁部に当たり不安定となり、器具が押し込まれると同時に針先（６ｃ）は外向きに回転し、顎部（６ｄ）は縁を滑って（矢印）凹部に引っ掛かり安定する。【００２６】同時に前記開口部（１ｄ）に抜け出る鈎軸は自然に凹み方向の左右（ｘ−ｘ）方向に流れ出て（Ｓｆ）常にロッドに対して斜め角度で該ロッド先端部に無理なく適切に挟まれる状態に設定される。【００２７】この時点で鍔とバネの効用で注射器を扱うように片手指操作で上記ロッドを押し込む事によって、鈎軸はその中間部が線状に導入部出口の擂鉢状孔（３ｃ）と円錐状のロッド先端部との接合面に挟まれ、常にロッドに対して斜め角度で咬み込むように押さえられ器具と一体に固定された状態となる。【００２８】鈎の返しが強く、魚の軟骨等に深く喰い込んでいる様な場合、強く器具を押した時、力点Ｐ２への力は鈎が引き出される方向となり（図５）擂鉢状の壁面角度の効果もあってロッドは喰い込んで、より確りと鈎軸を掴む。【００２９】更に、器具を押す時は導入口先端縁部（Ｐｏ）とロッド固定部（Ｐ２）の二つの力点で押すため、ペンチ以上に確り鈎軸を挟みこむ事が出来る事により、器具全体を一体の鈎棒の様な感覚で扱えるので安定操作が出来、失敗無く的確に鈎の顎部を押して抜き取り、其の侭魚の口中から取り出す事ができる。【００３０】使い方は器具先端部の糸通し溝にハリスを通し、注射器を持つように中指、人差し指で鍔部を挟み片手親指をバイトロッド押し釦に掛け、同先端周縁部の凹部分を緊張したハリスに、添うように押し当て乍ら素早く魚の口中に誘導し、軽く押して掛かり鈎の顎部に引っ掛ける感じで鈎軸を導入部入口から開口部に設定し、その時点で上記押し釦を指で押し込んで、導入部出口の擂鉢状孔と前記バイトロッドの円錐状先端部の接合面に鈎軸を確り挟み込み咬みこむように固定させ、其の侭器具全体で魚の掛かり部から鈎の顎部を押して抜き、口中から取り出す（図２）。【００３１】先端部周縁形状が溝外れを防止する原理を以下説明する。【００３２】鈎が糸通し溝から外れるのは鈎先が図６（１）の場合のみであり、鈎先が内向きのｇ’のように挿入時に角度が少しでもあれば、器具を押し込む時外フトコロ部に縁が当たり鈎先は回転して顎部が凹み方向に滑るので（矢印）直接溝から外れる事は無い、同様に外向きの、ｇの場合も其の侭挿入されるが、鈎の顎部が縁の山部分を滑って凹部方向に向くので溝部に廻る事は無く、更にバイトロッドで押し挟む時、鈎軸が擦り動き、鈎先が溝側方向に廻る事があるが、この時も溝の両先端部にある突起部（１ｂ）に当たるため（×印）溝部に廻る事は無く、いずれの場合も導入口外縁形状の特徴により鈎の溝外れは防止される。
【図面の簡単な説明】
【００３３】
【図１】（１）器具の基本構成を示す説明概要図、（２）展開、断面指標  （３）器具の姿図（針を固定した図）
【図２】器具と操作のイメージ図  （１）ハリスに添って魚の口中まで誘導  （２）鈎軸を固定し、器具で押し外し、口中から出す
【図３】先行技術の問題点説明図  （公開案用新案広報  昭和５４−１５５８９０）  （１）鈎軸と平行に挿入される固定用中軸  （２）中軸先端部で鈎のチモト部を押さえる図
【図４】器具断面図、外観全容図。（管径７ｍｍスケールアップ）  （１）ハリス通し、器具誘導、鈎挿入  ｘ−ｘ断面図  （２）ロッドを押し、鈎を挟む  ｘ−ｘ断面図  （３）同上  ｙ−ｙ断面図
【図５】バイトロッドを押して鈎を固定した状態のｘ軸，ｙ軸断面図  ・鈎の顎が凹部に掛かり軸が左右に抜けたところをロッドで噛む  ・Ｌ１がゼロ（小さい程）ならロッドで挟む力は不要。  ・Ｐ１の引き抜く力が大きい程Ｐ２は強く噛みこむ。
【図６】導入口の先端部形状の効果、正面展開・断面  （鈎の顎部は周縁を滑り凹部に掛かる３様。）  （１）・糸通し溝から鈎が外れる設定方向。  ・ｙ−ｙ軸と同角度で抜ける。  ・突起部に鈎軸が当たり防止。  ・押し込まれて擦り動き回転しても外れない。  ・ｇ’鈎先が内向・溝から外れない．  ・ｇ  鈎先が外向・溝から外れない．  （２）鈎先が外向き、内顎がそのまま滑って凹部に掛かる。  （３）鈎先が内向き、外ふところが縁に当たり→  →  回転して鈎先が外向きになる。  →  顎部が滑って→凹部に掛かる。
【符号の説明】
【００３４】  １  パイプ  １ａ  糸通し溝  １ｂ  突起  １ｃ  周縁部  １ｄ  開口部
２  バイトロッド（噛ませ棒）  ２ａ  先端部  ２ｂ  止ネジ  ２ｃ  押し釦
３  導入部  ３ａ  貫通孔  ３ｂ  漏斗状入口  ３ｃ  擂鉢状出口
４  指掛け鍔
５  バネ
６  鈎  ６ａ  チモト  ６ｂ  顎  ６ｃ  針先  ６ｄ  フトコロ
７  ハリス
８  掛り部（魚）
Ｓｆ  鈎軸抜け出し方向
Ｐ、Ｐ０、Ｐ、Ｐ１、Ｐ２    力点
ｆ  ハリス張力
ｇ’  鈎先が内向きの場合・（３）の鈎と同じ
ｇ  鈎先が外向きの場合・（２）の鈎と同じ
【手続補正３】
【補正対象書類名】図面
【補正対象項目名】全図
【補正方法】変更
【補正の内容】
【図１】
2009273447.tif 000001
【図２】
2009273447.tif 000002
【図３】
2009273447.tif 000003
【図４】
2009273447.tif 000004
【図５】
2009273447.tif 000005
【図６】
2009273447.tif 000006